(57)【要約】【課題】  縦筋の任意の位置に取付けることができ、また横筋を簡単に保持することができ、さらに縦筋と横筋の結束が終了した後に簡単に取り外して再利用することが可能な横筋ホルダーを提供する。【解決手段】  縦筋２０の外周面の一側に被せて取り付ける被着部１１と、被着部１１から縦筋２０の外周面の他側に延長して設けた延長部１２と、延長部１２の先端部から下方に向かって延長して設けるとともに、縦筋２０との間に所定の間隙を有する架橋部１３と、架橋部１３の下部から縦筋２０の外周面の一側へ向かい、当該縦筋２０の外周面の一側よりも外側へ延長して設けた横筋支持部１４と、縦筋２０に対して横筋ホルダーを固定するための固定部１５とを備える。【選択図】図１
2015098691.tif 000002
【特許請求の範囲】
【請求項１】
直立して設けた複数の縦筋に横筋を結束するために使用する横筋ホルダーであって、
前記縦筋の外周面の一側に被せて取り付ける被着部と、
前記被着部から前記縦筋の外周面の他側に延長して設けた延長部と、
前記延長部の先端部から下方に向かって延長して設けるとともに、前記縦筋との間に所定の間隙を有する架橋部と、
前記架橋部の下部から前記縦筋の外周面の一側へ向かい、当該縦筋の外周面の一側よりも外側へ延長して設けた横筋支持部と、
前記縦筋に対して当該横筋ホルダーを固定するための固定部と、
を備えたことを特徴とする横筋ホルダー。
【請求項２】
前記固定部は、少なくとも前記延長部に設けられ、前記縦筋の外周面の他側よりも外側に位置する挿通孔と、
前記挿通孔に挿入する部材であって、その外周部が前記縦筋の外周面の他側に密着することにより、前記横筋ホルダーを前記縦筋に固定する固定片と、
からなることを特徴とする請求項１に記載の横筋ホルダー。
【請求項３】
前記横筋支持部は、前記架橋部側から先端部側に向かって上方へ傾斜する横筋載置面を備えていることを特徴とする請求項１又は２に記載の横筋ホルダー。
【請求項４】
前記横筋支持部は、前記横筋載置面に、横筋を保持するための保持凹部を設けたことを特徴とする請求項１〜３のいずれか１項に記載の横筋ホルダー。
【発明の詳細な説明】
【技術分野】
【０００１】
本発明は、鉄筋を組み立てる際に、立設した複数の縦筋に横筋を結束するために使用する横筋ホルダーに関するものである。
【背景技術】
【０００２】
鉄筋を組み立てるには種々の手順があるが、例えば、予め決められた位置に複数の縦筋を設置し、これらの縦筋を横断するように横筋を掛け渡し、縦筋と横筋との交差部を結束具により結束するのが一般的である。この際、長尺の横筋を用いた場合には、一人の作業員が横筋を支えながら縦筋と結束するのは難しく、二人以上の作業員により、縦筋の所定位置に横筋を位置させて、縦筋と横筋とを結束しなければならない。
そこで、省力化を行うとともに、正確な位置で縦筋と横筋とを結束するための技術が種々開示されている（例えば、特許文献１、特許文献２、特許文献３参照）。
【０００３】
特許文献１に記載された技術は、高構造物の補強工法における鉄筋組立に用いるための鉄筋組立用治具に関する技術であり、軸方向鉄筋、帯鉄筋を設計鉄筋間隔にセットして、連続的に鉄筋組立を行うようにしたものである。この鉄筋組立用治具は、複数本の鉄筋を１本ずつ保持する複数個の鉄筋保持部と、これら複数個の鉄筋保持部の間隔を調整する間隔調整部とを備えている。そして、鉄筋保持部は、一部を切り欠いたパイプ状の保持金具に軸方向鉄筋を通して、ボルトの締め付けにより固定するようになっている。
【０００４】
特許文献２に記載された技術は、熟練を要しない少ない作業人員で配筋した場合であっても、寸法的にばらつきのない安定した配筋を行うことを目的とした配筋用治具に関する技術である。この配筋用治具は、支持台の一側方から上方に向かって支柱を立設させるとともに、当該支柱には鉄筋を仮保持するアームを所定間隔毎に水平方向に多数設けたものである。
【０００５】
特許文献３に記載された技術は、交差する鉄筋を固定し、所望の組立状態に保持することを目的とした鉄筋固定用治具に関する技術である。この鉄筋固定用治具は、主筋をクランプするための第１クランプ部材及び第２クランプ部材とから構成される。第１クランプ部材は、弾力性を有するとともに、固定に必要な機械的強度を得ることができる合成樹脂材料からなり、主筋を強制的にはめ込んでクランプすることができるように、その長手方向に沿ってスリットを有するＣ字形状のスリーブ状の部材として形成されている。また、第２クランプ部材は、第１クランプ部材と一体に形成され、第１クランプ部材とほぼ同様の構成からなり、第１クランプ部材でクランプする主筋と交差する主筋をクランプするようになっている。
【先行技術文献】
【特許文献】
【０００６】
【特許文献１】特開２０１０−１８９７４号公報
【特許文献２】特開平９−６０３００号公報
【特許文献３】特開平１１−２２９５５９号公報
【発明の概要】
【発明が解決しようとする課題】
【０００７】
しかし、上述した特許文献１及び特許文献２に記載された技術は、大がかりな構造となっており、設置及び撤去が面倒であるばかりではなく、自由度が少ないため、現場において取り付け位置の変更を余儀なくされた場合に、適切に対応することができなかった。
【０００８】
また、上述した特許文献３に記載された技術は、簡単な構造ではあるが、取り付ける鉄筋の直径に合わせて、クランプ部材を作成しなければならず、汎用性に欠けるという問題があった。また、鉄筋をクランプしたまま、コンクリート中に埋め込むことを前提としているため、固定用治具が大量に必要となり、建造物の製造コストが上昇するという問題もあった。
【０００９】
本発明は、上述した事情に鑑み提案されたもので、縦筋の任意の位置に取付けることができ、また横筋を簡単に保持することができ、さらに縦筋と横筋の結束が終了した後に簡単に取り外して再利用することが可能な横筋ホルダーを提供することを目的とする。
【課題を解決するための手段】
【００１０】
本発明の横筋ホルダーは、上述した目的を達成するため、以下の特徴点を有している。すなわち、本発明の横筋ホルダーは、直立して設けた複数の縦筋に横筋を結束するために使用する横筋ホルダーであって、縦筋の外周面の一側に被せて取り付ける被着部と、当該被着部から縦筋の外周面の他側に延長して設けた延長部と、当該延長部の先端部から下方に向かって延長して設けるとともに、縦筋との間に所定の間隙を有する架橋部と、当該架橋部の下部から縦筋の外周面の一側へ向かい、当該縦筋の外周面の一側よりも外側へ延長して設けた横筋支持部と、縦筋に対して当該横筋ホルダーを固定するための固定部とを備えたことを特徴とするものである。
【００１１】
また、本発明の横筋ホルダーにおいて、固定部は、縦筋の外周面の他側よりも外側に位置する挿通孔と、当該挿通孔に挿入する部材であって、その外周部が縦筋の外周面の他側に密着することにより、横筋ホルダーを縦筋に固定する固定片とから構成することが可能である。この場合、固定部は、延長部に設けることになるが、さらに他の箇所に固定部を設けることもできる。
【００１２】
また、本発明の横筋ホルダーにおいて、横筋支持部は、架橋部側から先端部側に向かって上方へ傾斜する横筋載置面を備えていることが好ましく、さらに、横筋載置面に、横筋を保持するための保持凹部を設けることが可能である。
【発明の効果】
【００１３】
本発明の横筋ホルダーによれば、縦筋への取り付け及び取り外しが容易であり、さらに、多くの作業員を必要とせずに、縦筋の適切な位置に横筋を配置することが可能となる。また、本発明の横筋ホルダーは、構造が単純であるため、製造が容易であるばかりでなく、製造コストを低減することが可能となる。
【００１４】
また、横筋支持部に、架橋部側から先端部側に向かって上方へ傾斜する横筋載置面を設け、あるいは、横筋載置面に、横筋を保持するための保持凹部を設けることにより、横筋ホルダー上に、しっかりと横筋を保持することができ、結束作業が容易になるとともに、横筋の脱落が生じるおそれがない。
【図面の簡単な説明】
【００１５】
【図１】本発明の実施形態に係る横筋ホルダーの側面図。
【図２】本発明の実施形態に係る横筋ホルダーの横断面図（図１におけるＡ−Ａ矢視図）。
【図３】本発明の実施形態に係る横筋ホルダーの横断面図（図１におけるＢ−Ｂ矢視図）。
【図４】本発明の他の実施形態に係る横筋ホルダーの側面図。
【図５】本発明の実施形態に係る横筋ホルダーを縦筋に取り付けた状態の斜視図。
【図６】本発明の実施形態に係る横筋ホルダーを縦筋に取り付けた状態の斜視図。
【図７】本発明の実施形態に係る横筋ホルダーを用いた縦筋と横筋の結束手順を示す説明図。
【発明を実施するための形態】
【００１６】
以下、図面を参照して、本発明の実施形態を説明する。図１〜図７は本発明の実施形態に係る横筋ホルダーを説明するもので、図１は横筋ホルダーの側面図、図２及び図３は横筋ホルダーの横断面図、図４は他の実施形態に係る横筋ホルダーの側面図、図５及び図６は横筋ホルダーを縦筋に取り付けた状態の斜視図、図７は横筋ホルダーを用いた縦筋と横筋の結束手順を示す説明図である。
【００１７】
＜横筋ホルダーの概要＞
本発明の実施形態に係る横筋ホルダー１０は、図７に示すように、直立して設けた複数の縦筋２０に横筋３０を結束するために使用するための治具であり、２本以上の縦筋２０に取り付けて使用する。すなわち、縦筋２０に掛け渡す横筋３０の長さに応じて、２本以上の縦筋２０の適宜位置に横筋ホルダー１０を取り付け、各横筋ホルダー１０により横筋３０を支持した状態で、結束具（例えば、番線や結束バンド等）により縦筋２０と横筋３０とを結束する。縦筋２０と横筋３０との結束が終了したら、縦筋２０から横筋ホルダー１０を取り外すことにより、横筋ホルダー１０を再利用することができる。
【００１８】
この横筋ホルダー１０は、図１〜図３に示すように、主要な構成部として、被着部１１と、延長部１２と、架橋部１３と、横筋支持部１４と、固定部１５とを備え、一体に構成されている。なお、以下の説明において、縦筋２０の外周面の一側とは、被着部１１が接触するとともに、横筋３０を載置する側（図１において左側）のことであり、縦筋２０の外周面の他側とは、挿通孔１６を設けた側（図１において右側）のことである。本実施形態では、被着部１１が縦筋２０に接触する側（図１において左側）のみが閉塞されており、被着部１１の他側（図１において右側）、架橋部１３及び横筋支持部１４の両端部は開放されている。
【００１９】
＜被着部＞
被着部１１は、図１及び図２に示すように、縦筋２０の外周面の一側に被せて、横筋ホルダー１０を縦筋２０に取り付けるための部分である。この被着部１１は、断面略Ｕ字状の鋼製板材からなり、取り付ける縦筋２０の外周径よりも大きな内周径を有している。
【００２０】
＜延長部＞
延長部１２は、図１及び図２に示すように、被着部１１から縦筋２０の外周面の他側に延長して設けた部分である。すなわち、延長部１２は、断面Ｕ字状の被着部１１の開放端側に設けられており、縦筋２０を挟んだ一対の板状片からなる。本実施形態では、延長部１２に、固定部１５を構成する挿通孔１６を２箇所設けている。
【００２１】
＜架橋部＞
架橋部１３は、図１に示すように、延長部１２の先端部から下方に向かって延長して設けた部分であり、縦筋２０との間に所定の間隙を保持するための切欠凹部１７を備えている。この切欠凹部１７は、延長部１２と横筋支持部１４の間であって、横筋ホルダー１０を取り付ける縦筋２０の外周面の他側に設けられている。この切欠凹部１７に、番線や結束バンド等の結束具を通すことにより、縦筋２０と横筋３０との結束を行うことができる。
【００２２】
＜横筋支持部＞
横筋支持部１４は、図１及び図３に示すように、架橋部１３の下部から縦筋２０の外周面の一側へ向かって設けた板状片からなり、その先端部が、横筋ホルダー１０を取り付ける縦筋２０の外周面の一側よりも外側へ延長して設けてある。すなわち、横筋支持部１４において、縦筋２０の外周面の一側よりも延長した部分に横筋３０を載置して支持することができる。
【００２３】
＜横筋載置面＞
横筋支持部１４は、架橋部１３側から先端部側に向かって上方へ傾斜する横筋載置面１８を備えている。さらに、図４に示すように、横筋載置面１８に、横筋３０を保持するための保持凹部１９を設けてもよい。このように、横筋載置面１８を設けることにより、横筋支持部１４の上に横筋３０を載置すると、横筋載置面１８が縦筋２０へ向かって下り傾斜しているため、横筋３０は縦筋２０に向かって転がって縦筋２０に接触する。
【００２４】
また、横筋載置面１８に、横筋３０を保持するための保持凹部１９を設けることにより、横筋載置面１８の上に横筋３０を載置した場合に、横筋３０が保持凹部１９内に嵌まり込み、横筋ホルダー１０上に、横筋３０を確実に保持することができる。なお、保持凹部１９の形状、大きさ等は、載置する横筋３０の直径に応じて適宜変更して設定することができる。
【００２５】
＜固定部＞
本実施形態の横筋ホルダー１０は、縦筋２０に対して横筋ホルダー１０を固定するための固定部１５を備えている。この固定部１５は、少なくとも延長部１２に設けられており、縦筋２０の外周面の他側よりも外側に位置する挿通孔１６と、挿通孔１６に挿入する部材であって、その外周部が縦筋２０の外周面の他側に密着することにより、横筋ホルダー１０を縦筋２０に固定する固定片４０とからなる。
【００２６】
なお、本実施形態では、延長部１２において上下方向に離隔して２箇所と、横筋支持部１４の架橋部１３側の１箇所に挿通孔１６を設けているが、延長部１２に設ける挿通孔１６を１箇所あるいは３箇所以上としてもよいし、さらに、横筋支持部１４の横筋載置面１８側に挿通孔１６を設けてもよい。
【００２７】
本実施形態の固定片４０は、図２及び図３に示すように、基端部から先端部にかけて、幅方向に縮径する傾斜面を有する楔状の板片からなり、挿通孔１６の幅方向の径は、固定片４０の幅方向の径に合わせて設定されている。なお、固定片４０を断面長方形状としてもよい。この場合、縦筋２０に対して、より一層強固に横筋ホルダー１０を固定するため、図４に示すように、被着部１１の閉鎖部側にネジ孔５０を設け、当該ネジ孔５０にボルト５１を取り付けて、ボルト５１を締め付けることにより、ボルト５１の先端部を縦筋２０の外周面に押し付ける構成とすることができる。
【００２８】
さらに、固定片４０の脱落や紛失を防止するため、図４に示すように、横筋ホルダー１０と固定片４０との間に紐状の連結部材６０を取り付けることが好ましい。この連結部材６０の材質、形状は特に限定されるものではないが、挿通孔１６に対して容易に固定片４０を着脱することが可能な長さを備えていることが好ましい。
【００２９】
＜縦筋と横筋の結束手順＞
直立して設けた複数の縦筋２０に横筋３０を結束するには、図５〜図７に示すように、縦筋２０に掛け渡す横筋３０の長さに応じて、２本以上の縦筋２０の適宜位置に横筋ホルダー１０を取り付ける。縦筋２０に横筋ホルダー１０を取り付けるには、少なくとも延長部１２に設けた挿通孔１６から固定片４０を抜き取り、延長部１２を開放する。そして、縦筋２０の所定位置において、横筋ホルダー１０の被着部１１を縦筋２０に被せ、挿通孔１６内に固定片４０を差し込むことにより、横筋ホルダー１０を縦筋２０に固定する。
【００３０】
横筋ホルダー１０を縦筋２０に固定したら、各横筋ホルダー１０の横筋支持部１４（横筋載置面１８）に横筋３０を載置して支持し、結束具（例えば、番線や結束バンド等）により縦筋２０と横筋３０とを結束する。縦筋２０と横筋３０との結束が終了したら、縦筋２０から横筋ホルダー１０を取り外すことにより、横筋ホルダー１０を再利用することができる。
【符号の説明】
【００３１】
１０  横筋ホルダー
１１  被着部
１２  延長部
１３  架橋部
１４  横筋支持部
１５  固定部
１６  挿通孔
１７  切欠凹部
１８  横筋載置面
１９  保持凹部
２０  縦筋
３０  横筋
４０  固定片
５０  ネジ孔
５１  ボルト
６０  連結部材
【図１】
2015098691.tif 000003
【図２】
2015098691.tif 000004
【図３】
2015098691.tif 000005
【図４】
2015098691.tif 000006
【図５】
2015098691.tif 000007
【図６】
2015098691.tif 000008
【図７】
2015098691.tif 000009